(57)【要約】      （修正有）【課題】広画角、高変倍比、および広角端での倍率色収差の低減に有利なズームレンズを提供する。【解決手段】物体側より像側へ順に、正の屈折力の第１レンズ群Ｌ１と、変倍のために移動する負の屈折力の第２レンズ群Ｌ２と、変倍のために移動する少なくとも１つのレンズ群Ｌ３、Ｌ４と、正の屈折力の最終レンズ群Ｌ５と、を有し、隣り合うレンズ群の各組は、変倍のために間隔が変化し、最終レンズ群は、正レンズを含み、前記正レンズのアッベ数および部分分散比、無限遠合焦かつ広角端における絞りから前記正レンズの物体側の面の頂点までの光軸上の距離、無限遠合焦かつ広角端における前記絞りから前記最終レンズ群の最も像側の面の頂点までの光軸上の距離が所定の条件式を満足する、ことを特徴とする。【選択図】図１
2020012908.tif 000002
【特許請求の範囲】
【請求項１】
物体側より像側へ順に、正の屈折力の第１レンズ群と、変倍のために移動する負の屈折力の第２レンズ群と、変倍のために移動する少なくとも１つのレンズ群と、正の屈折力の最終レンズ群と、を有し、隣り合うレンズ群の各組は、変倍のために間隔が変化し、前記最終レンズ群は、正レンズを含み、前記正レンズのアッベ数および部分分散比をそれぞれνｄおよびθｇＦとして、条件式
θｇＦ−（−１．６６５０×１０−７・νｄ３＋５．２１３０×１０−５・νｄ２−５．６５６０×１０−３・νｄ＋０．７３７０）＞０、
０．５４５０＜θｇＦ、および
５０．０＜νｄ＜８５．０
を満足し、
無限遠合焦かつ広角端における絞りから前記正レンズの物体側の面の頂点までの光軸上の距離をＤｘとし、無限遠合焦かつ広角端における前記絞りから前記最終レンズ群の最も像側の面の頂点までの光軸上の距離をＤＲとして、条件式
０．５０＜Ｄｘ／ＤＲ＜１．００
を満足する、
ことを特徴とするズームレンズ。
ここで、アッベ数νｄおよび部分分散比θｇＦは、それぞれ、ｇ線（波長４３５．８ｎｍ）、Ｆ線（４８６．１ｎｍ）、Ｃ線（６５６．３ｎｍ）およびｄ線（５８７．６ｎｍ）に対する材料の屈折率をそれぞれＮｇ、ＮＦ、ＮＣおよびＮｄとして、式
νｄ＝（Ｎｄ−１）／（ＮＦ−ＮＣ）、および
θｇＦ＝（Ｎｇ−ＮＦ）／（ＮＦ−ＮＣ）
で表される。
【請求項２】
前記絞りは、前記第２レンズ群と前記最終レンズ群との間に配置されていることを特徴とする請求項１に記載のズームレンズ。
【請求項３】
前記正レンズの焦点距離をｆｐとし、広角端における前記最終レンズ群の焦点距離をｆＲとして、条件式
０．５０＜ｆｐ／ｆＲ＜２．５０
を満足することを特徴とする請求項１または２に記載のズームレンズ。
【請求項４】
前記正レンズの物体側の面の曲率半径をＲ１とし、前記正レンズの像側の面の曲率半径をＲ２として、条件式
−２．０＜（Ｒ１＋Ｒ２）／（Ｒ１−Ｒ２）＜１．５
を満足することを特徴とする請求項１乃至３のうちいずれか１項に記載のズームレンズ。
【請求項５】
前記正レンズの−３０℃以上＋７０℃以下における平均線膨張係数（１０−５／Ｋ）をαとして、条件式
０．５０＜α＜５．００
を満足することを特徴とする請求項１乃至４のうちいずれか１項に記載のズームレンズ。
【請求項６】
前記正レンズの屈折率をｎｄとして、条件式
１．５５０＜ｎｄ＜１．７５０
を満足することを特徴とする請求項１乃至５のうちいずれか１項に記載のズームレンズ。
【請求項７】
広角端における全体の焦点距離をｆＷとし、広角端における前記最終レンズ群の焦点距離をｆＲとして、条件式
１．００＜ｆＲ／ｆＷ＜２０．００
を満足することを特徴とする請求項１乃至６のうちいずれか１項に記載のズームレンズ。
【請求項８】
前記第１レンズ群は、物体側より像側へ順に、負レンズと、少なくとも１つの正レンズと、を有することを特徴とする請求項１乃至７のうちいずれか１項に記載のズームレンズ。
【請求項９】
請求項１乃至８のうちいずれか１項に記載のズームレンズと、
前記ズームレンズの像面に配された撮像素子と、
を有することを特徴とする撮像装置。
【発明の詳細な説明】
【技術分野】
【０００１】
本発明は、ズームレンズ及び撮像装置に関するものである。
【背景技術】
【０００２】
例えばスチルカメラ、ビデオカメラ、テレビカメラ、シネマカメラ及び監視カメラ等の、撮像素子を含む撮像装置（カメラ）の高機能化のため、それに用いるズームレンズには、高ズーム比、大口径比、及び高い光学性能を有するものが求められている。特に、プロフェッショナルユースのテレビカメラ・映画用カメラに用いられているＣＣＤやＣＭＯＳデバイス等の撮像デバイスは、撮像範囲全体にわたる解像力の均一性に優れている。そのため、ズームレンズには、その像面における解像力の均一性や、色収差の少なさが要求されている。
【０００３】
特許文献１は、物体側より像側へ順に、正の屈折力のレンズ群と、負の屈折力のレンズ群と、少なくとも１つのレンズ群を含む後群とから構成される所謂ポジティブリード型のズームレンズを開示している。
【０００４】
また、特許文献２は、物体側から像側へ順に、正、負、正、負および正の屈折力をそれぞれ有する第１乃至第５レンズ群からなり、隣り合うレンズ群の各組の間隔を変えて変倍（ズーミング）を行うズームレンズを開示している。第１レンズ群が正の屈折力を有するポジティブリード型のズームレンズは、第１レンズ群が負の屈折力を有する所謂ネガティブリード型のズームレンズに比べ、高変倍比化に有利である。
【先行技術文献】
【特許文献】
【０００５】
【特許文献１】特開２０１５−１７６１１８号公報
【特許文献２】特開２０１１−１２３３３７号公報
【発明の概要】
【発明が解決しようとする課題】
【０００６】
高変倍比を有するズームレンズにおいて高い光学性能を得るには、変倍による色収差の変動の補正（低減）が重要であり、特に、広角端における倍率色収差の補正が重要である。少ないレンズ枚数としつつ各レンズ群の屈折力を強めると、諸収差が大きく発生し、高い光学性能を得るのが困難となるため、広角端における倍率色収差の補正も困難となる。
【０００７】
広角端における倍率色収差で特に課題となる２次スペクトルを補正するには、開口絞りよりも像面側の正の屈折力を有するレンズ（以下、正レンズともいう）に異常分散性を有する材料を使用するのが効果的である。ズーム状態にかかわらず軸上光線も当該正レンズの高い位置を通過するため、全変倍範囲にわたって軸上色収差も補正される。そのため、当該正レンズは、その光学材料のアッベ数および異常分散特性を選択する必要がある。ズームレンズにおいて、目立ちやすい広角端での倍率色収差の低減（補正）を行いつつ、全変倍範囲にわたる高い光学性能を得るには、特に、変倍のためには不動または微動のリレーレンズ群における色収差の補正のバランスが重要となる。
【０００８】
本発明は、例えば、広画角、高変倍比、および広角端での倍率色収差の低減に有利なズームレンズの提供を目的とする。
【課題を解決するための手段】
【０００９】
上記目的を達成するために、物体側より像側へ順に、正の屈折力の第１レンズ群と、変倍のために移動する負の屈折力の第２レンズ群と、変倍のために移動する少なくとも１つのレンズ群と、正の屈折力の最終レンズ群と、を有し、隣り合うレンズ群の各組は、変倍のために間隔が変化し、前記最終レンズ群は、正レンズを含み、前記正レンズのアッベ数および部分分散比をそれぞれνｄおよびθｇＦとして、条件式
θｇＦ−（−１．６６５０×１０−７・νｄ３＋５．２１３０×１０−５・νｄ２−５．６５６０×１０−３・νｄ＋０．７３７０）＞０、
０．５４５０＜θｇＦ、および
５０．０＜νｄ＜８５．０
を満足し、
無限遠合焦かつ広角端における絞りから前記正レンズの物体側の面の頂点までの光軸上の距離をＤｘとし、無限遠合焦かつ広角端における前記絞りから前記最終レンズ群の最も像側の面の頂点までの光軸上の距離をＤＲとして、条件式
０．５０＜Ｄｘ／ＤＲ＜１．００
を満足する、
ことを特徴とするズームレンズ。ここで、アッベ数νｄおよび部分分散比θｇＦは、それぞれ、ｇ線（波長４３５．８ｎｍ）、Ｆ線（４８６．１ｎｍ）、Ｃ線（６５６．３ｎｍ）およびｄ線（５８７．６ｎｍ）に対する材料の屈折率をそれぞれＮｇ、ＮＦ、ＮＣおよびＮｄとして、式
νｄ＝（Ｎｄ−１）／（ＮＦ−ＮＣ）、および
θｇＦ＝（Ｎｇ−ＮＦ）／（ＮＦ−ＮＣ）
で表される。
【発明の効果】
【００１０】
本発明によれば、例えば、広画角、高変倍比、および広角端での倍率色収差の低減に有利なズームレンズを提供することができる。
【図面の簡単な説明】
【００１１】
【図１】実施例１の広角端におけるレンズ断面図である。
【図２】実施例１のズームレンズの無限遠合焦時の（Ａ）広角端、（Ｂ）中間のズーム位置、（Ｃ）望遠端における収差図である。
【図３】実施例２のズームレンズの無限遠合焦時の広角端におけるレンズ断面図である。
【図４】実施例２のズームレンズの無限遠合焦時の（Ａ）広角端、（Ｂ）中間のズーム位置、（Ｃ）望遠端における収差図である。
【図５】実施例３のズームレンズの無限遠合焦時の広角端におけるレンズ断面図である。
【図６】実施例３のズームレンズの無限遠合焦時の（Ａ）広角端、（Ｂ）中間のズーム位置、（Ｃ）望遠端における収差図である。
【図７】実施例４のズームレンズの無限遠合焦時の広角端におけるレンズ断面図である。
【図８】実施例４のズームレンズの無限遠合焦時の（Ａ）広角端、（Ｂ）中間のズーム位置、（Ｃ）望遠端における収差図である。
【図９】実施例５のズームレンズの無限遠合焦時の広角端におけるレンズ断面図である。
【図１０】実施例５のズームレンズの無限遠合焦時の（Ａ）広角端、（Ｂ）中間のズーム位置、（Ｃ）望遠端における収差図である。
【図１１】実施例６のズームレンズの無限遠合焦時の広角端におけるレンズ断面図である。
【図１２】実施例６のズームレンズの無限遠合焦時の（Ａ）広角端、（Ｂ）中間のズーム位置、（Ｃ）望遠端における収差図である。
【図１３】実施例７のズームレンズの無限遠合焦時の広角端におけるレンズ断面図である。
【図１４】実施例７のズームレンズの無限遠合焦時の（Ａ）広角端、（Ｂ）中間のズーム位置、（Ｃ）望遠端における収差図である。
【図１５】実施例８のズームレンズの無限遠合焦時の広角端におけるレンズ断面図である。
【図１６】実施例８のズームレンズの無限遠合焦時の（Ａ）広角端、（Ｂ）中間のズーム位置、（Ｃ）望遠端における収差図である。
【図１７】実施例９のズームレンズの無限遠合焦時の広角端におけるレンズ断面図である。
【図１８】実施例９のズームレンズの無限遠合焦時の（Ａ）広角端、（Ｂ）中間のズーム位置、（Ｃ）望遠端における収差図である。
【図１９】実施例１０のズームレンズの無限遠合焦時の広角端におけるレンズ断面図である。
【図２０】実施例１０のズームレンズの無限遠合焦時の（Ａ）広角端、（Ｂ）中間のズーム位置、（Ｃ）望遠端における収差図である。
【図２１】実施例１１のズームレンズの無限遠合焦時の広角端におけるレンズ断面図である。
【図２２】実施例１１のズームレンズの無限遠合焦時の（Ａ）広角端、（Ｂ）中間のズーム位置、（Ｃ）望遠端における収差図である。
【図２３】実施例１２のズームレンズの無限遠合焦時の広角端におけるレンズ断面図である。
【図２４】実施例１２のズームレンズの無限遠合焦時の（Ａ）広角端、（Ｂ）中間のズーム位置、（Ｃ）望遠端における収差図である。
【図２５】θｇＦ−νｄ図である。
【図２６】実施例１３の撮像装置の要部概略図である。
【発明を実施するための形態】
【００１２】
次に本発明のズームレンズの各実施例を説明する。各実施例のズームレンズは、物体側より像側へ順に配置された、正の屈折力の第１レンズ群、負の屈折力の第２レンズ群、１つ以上のレンズ群を含む後群より構成され、ズーミングに際して、互いに隣接するレンズ群の各組は、いずれも変倍のために間隔が変化する。
【００１３】
第１レンズ群は１枚以上の正レンズを有し、第１レンズ群に含まれる少なくとも１つのガラスの正レンズＧｐの材料は、材料の屈折率をｎｄ、材料のアッベ数をνｄ、材料の部分分散比をθｇＦとする。正レンズＧｐは、絞りから前記最終レンズ群内の前記正レンズの物体側面頂点までの無限合焦時における広角端での光軸上の距離をＤｘ、前記絞りから前記最終レンズ群内の最も像側のレンズ面頂点までの無限合焦時における広角端での光軸上の距離をＤＲとした位置にある。このとき、
θｇＦ−（−１．６６５０×１０−７×νｄ３＋５．２１３０×１０−５×νｄ２−５．６５６０×１０−３×νｄ＋０．７３７０）＞０  ・・・（１）
０．５４５０＜θｇＦ  ・・・（２）
５０．０＜νｄ＜８５．０  ・・・（３）
０．５０＜Ｄｘ／ＤＲ＜１．００  ・・・（４）
なる条件式を満足する。
【００１４】
ここで、本実施例で用いているガラスの光学素子（レンズ）の材料のアッベ数νｄと部分分散比θｇＦは次のとおりである。フラウンフォーファー線のｇ線（波長４３５．８ｎｍ）、Ｆ線（４８６．１ｎｍ）、Ｃ線（６５６．３ｎｍ）、ｄ線（５８７．６ｎｍ）に対する屈折率をそれぞれＮｇ、ＮＦ、ＮＣ、Ｎｄとして、
νｄ＝（Ｎｄ−１）／（ＮＦ−ＮＣ）
θｇＦ＝（Ｎｇ−ＮＦ）／（ＮＦ−ＮＣ）
なる式で表される。
【００１５】
各実施例のズームレンズでは、正の屈折力を有する第１レンズ群、変倍に際して移動する負の屈折力を有する第２レンズ群を配置したポジティブリード型のズームレンズである。正の屈折力を有する第１レンズ群は、物体側から像側の順に、負の屈折力を有する第１サブレンズ群、正の屈折力を有する第２サブレンズ群、正の屈折力を有する第３サブレンズ群のようなサブユニット構成を有していても良い。上述の構成とすることにより、特に広画角でフォーカスによる収差変動の抑制に優れた第１レンズ群を得ることができる。また、正の屈折力を有する第１レンズ群は、物体側から像側の順に、負の屈折力を有する第１サブレンズ群、正の屈折力を有する第２サブレンズ群のようなサブユニット構成を有していても良い。屈折力が負の第２レンズ群は広角端から望遠端への変倍に際して像側へ移動し、高ズーム比を達成し易いズームタイプを採用している。
【００１６】
本発明のズームレンズでは、絞りは最終レンズ群の物体側に配置している。絞りは広角端において軸上最大光束径を決定するため、第２レンズ群より像側で最終レンズ群より物体側に配置するのが好ましい。本発明のズームレンズによって形成された被写体像は、ＣＣＤセンサやＣＭＯＳセンサなどの撮像素子（光電変換素子）によって画像化される。最終レンズ群は正の屈折力を有することで、像側のテレセントリック性を良好に保つことを容易としている。最終レンズ群は後述するようなサブユニット構成を想定しても良い。最終レンズ群より物体側のレンズ群からの収斂光束を受けて発散光束として射出する負の屈折力を有する物体側サブレンズ群を有しても良い。また、最終レンズ群に含まれるサブユニット群の一部がズーム時やフォーカス時に移動しても良い。また、異なるレンズ群を光路中に挿抜してレンズ全系の焦点距離を変換する焦点距離変換光学系を有しても良い。また、その変換光学系の像側に配置されて光束を結像へと導く正の屈折力を有する像側サブレンズ群などを有しても良い。上述のような構成で最終レンズ群を構成すると、レンズ群の一部のレンズ構成を挿抜するだけで、更なる長焦点距離化の要望に対応することが可能である。
【００１７】
ここで、最終レンズ群の該正レンズＧｐに採用する材料の部分分散比と倍率色収の関係について説明する。図２１に示すように、現存する光学材料はアッベ数νｄに対し部分分散比θｇＦが狭い範囲に分布しており、νｄが小さいほどθｇＦが大きい傾向を持っている。ある特定の２波長に対する色収差を補正することを、一般的に２波長色消し（１次スペクトル補正）と呼ぶ。特に高倍率のズームレンズでは、変倍に伴う色収差変動を抑制するために、各レンズ群の軸上色収差及び倍率色収差が概ねゼロ近傍となるように補正される。更に特定の波長を加えて、ある特定の３波長に対する色収差を補正することを、一般的に２次スペクトル補正と呼ぶ。ズームレンズの高仕様化の要求に伴い、高倍率のズーム比を達成するほど、広角端での倍率色収差の２次スペクトルを低減することが難しくなる。
【００１８】
条件式（１）と（２）は最終レンズ群内の正レンズＧｐの材料の部分分散比θｇＦを規定している。条件式（１）と（２）式を満たすことで、ズームレンズの広角端でオーバーバランスに増大し易い倍率色収差を適切なバランスに補正することが可能となる。条件式（１）の下限値を超えて小さくなると、望遠端において軸上色収差の二次スペクトルが増加するため好ましくない。図２５において実線が条件式（１）の曲線を示している。
【００１９】
条件式（３）は最終レンズ群内の正レンズＧｐの材料のアッベ数νｄを規定している。条件式（３）の上限値を超えてアッベ数νｄが大きくなると、一般的に屈折率が低くなり、必要なレンズ肉厚が増え、大型化するため好ましくない。また、条件式（３）の下限値を超えてアッベ数νｄが小さくなると、広角側において倍率色収差及び望遠側において軸上色収差を良好に補正することが困難となる。
【００２０】
条件式（４）は、正レンズＧｐの最終レンズ群内の配置について規定している。最終レンズ群に含まれる正レンズＧｐの物体側面頂点から絞りまでの無限合焦時における広角端での光軸上の距離をＤｘ、最終レンズ群の最も像側のレンズ面頂点から絞りまでの無限合焦時における広角端での光軸上の距離をＤＲとする。倍率色収差の２次スペクトルを低減するには軸外の瞳近軸光線の入射高の高い位置に正レンズＧｐを配置するのが効果的である。一般的に、絞りからの距離が離れれば離れるほど軸外の瞳近軸光線の入射高は高くなる傾向を有し、（４）式を満たすことで広角端倍率色収差の２次スペクトルを更に良好に補正することができる。（４）式の下限の条件が満たされないと、広角端における倍率色収差の２次スペクトルの補正が困難となるため好ましくない。（４）式の上限の条件が満たされないと正レンズＧｐが適切なレンズ肉厚を持たず、倍率色収差補正の効果を十分に発揮できないため好ましくない。
【００２１】
なお、各実施例において、好ましくは、条件式（１）乃至（４）の数値範囲を次の如くするのが良い。
θｇＦ−（−１．６６５０×１０−７・νｄ３＋５．２１３０×１０−５・νｄ２−５．６５６０×１０−３・νｄ＋０．７３９８）＞０  ・・・（１ａ）
０．５４９０＜θｇＦ  ・・・（２ａ）
５２．０＜νｄ＜８１．０  ・・・（３ａ）
０．５３＜Ｄｘ／ＤＲ＜０．９７  ・・・（４ａ）
【００２２】
また、さらに好ましくは条件式（１ａ）乃至（３ａ）の数値範囲を次の如く設定するのが良い。
θｇＦ−（−１．６６５０×１０−７・νｄ３＋５．２１３０×１０−５・νｄ２−５．６５６０×１０−３・νｄ＋０．７３９８）＞０  ・・・（１ｂ）
０．５５４３＜θｇＦ  ・・・（２ｂ）
５４．０＜νｄ＜６７．０  ・・・（３ｂ）
０．５５＜Ｄｘ／ＤＲ＜０．９５  ・・・（４ｂ）
各実施例では以上の如く構成することにより、広画角、高ズーム比の高い光学性能を有するズームレンズを得ている。
【００２３】
このとき次の条件式のうち１つ以上を満足するのが良い。
０．５０＜ｆｐ／ｆＲ＜２．５０  ・・・（５）
−２．０＜（Ｒ１＋Ｒ２）／（Ｒ１−Ｒ２）＜１．５  ・・・（６）
０．５０＜α＜５．００  ・・・（７）
１．５５０＜ｎｄ＜１．７５０  ・・・（８）
１．００＜ｆＲ／ｆＷ＜２０．００  ・・・（９）
【００２４】
条件式（５）式は前記正レンズＧｐの焦点距離と、最終レンズ群の焦点距離の比を規定している。最終レンズ群に含まれる正レンズＧｐの焦点距離をｆｐ、最終レンズ群の焦点距離をｆＲとする。（５）式を満たすことで該正レンズＧｐに適切なパワーを持たせることができ、倍率色収差の２次スペクトルを良好に補正することができる。（５）式の上限の条件が満たされないと、該正レンズＧｐに適切なパワーを持たせることができず、倍率色収差の２次スペクトル補正を十分に発揮できない。（５）式の下限が満たされないと、高い異常分散性を有する正レンズＧｐのパワーが強くなりすぎてしまい、広角端の倍率色収差の過補正及びズーム全域の倍率色収差補正バランスの悪化を招く。また、軸上色収差の過補正を回避することも困難になってくる。
【００２５】
条件式（６）は最終レンズ群内の前記正レンズＧｐのレンズ形状を規定している。前記正レンズＧｐの物体側の曲率半径と像側の曲率半径をそれぞれＲ１、Ｒ２とする。条件式（６）の上限値を超えると、前記正レンズＧｐの物体側の曲率半径の絶対値が小さくなるため物体側の面で発生する諸収差が大きくなりすぎ、他のレンズ面で補正しきれなくなり光学性能が劣化してくる。条件式（６）の下限値を超えると、前記正レンズＧｐの像側の曲率半径の絶対値が小さくなるため像側の面で発生する諸収差が大きくなりすぎ、他のレンズ面で補正しきれなくなり光学性能が劣化してくる。もしくは、物体側と像側の両面が平板に近づき、パワーを持たなくなるため好ましくない。
【００２６】
条件式（７）は最終レンズ群内の前記正レンズＧｐの異常分散材の線膨張係数を規定している。線膨張係数αは−３０℃以上＋７０℃以下における平均線膨張係数（１０−５／Ｋ）を表す。条件式（７）の上限値を超えて線膨張係数が大きくなると温度変化によるレンズ形状の変化が大きくなり、光学性能が劣化してくる。条件式（７）の下限値を超えて線膨張係数が小さくなると温度変化によるレンズの形状変化が小さく良いが、条件式を満足する材料を製造することが困難となる。
【００２７】
条件式（８）の最終レンズ群Ｌ内の前記正レンズＧｐの材料の屈折率ｎｄを規定している。条件式（８）の上限値を超えて屈折率が大きくなると、全系の小型化が容易となるが、条件式（１）、（２）を満たすような材料は製造が困難となる。また、条件式（８）の下限値を超えて屈折率が低くなると、レンズ肉厚が厚くなり全系が大型化するため好ましくない。
【００２８】
条件式（９）式は前記ズームレンズの広角端における全系の焦点距離と、最終レンズ群の焦点距離の比を規定している。前記ズームレンズの広角端における全系（全体）の焦点距離をｆＷとする。（９）式の上限の条件が満たされないと、最終レンズに適切なパワーを持たせることができず、色収差の補正を十分に発揮できない。（９）式の下限が満たされないと、最終レンズの屈折力のパワーが強くなりすぎてしまい、広角端の色収差の過補正及びズーム全域の色収差補正バランスの悪化を招く。
【００２９】
なお、各実施例において、好ましくは、条件式（５）乃至（９）の数値範囲を次の如くするのが良い。
０．５５＜ｆｐ／ｆＲ＜２．４０  ・・・（５ａ）
−１．５＜（Ｒ１＋Ｒ２）／（Ｒ１−Ｒ２）＜１．０  ・・・（６ａ）
０．８０＜α＜３．００  ・・・（７ａ）
１．５５０＜ｎｄ＜１．７００  ・・・（８ａ）
１．５０＜ｆＲ／ｆＷ＜１７．００  ・・・（９ａ）
【００３０】
また、さらに好ましくは条件式（５ａ）乃至（９ａ）の数値範囲を次の如く設定するのが良い。
０．６０＜ｆｐ／ｆＲ＜２．３０  ・・・（５ｂ）
−１．３＜（Ｒ１＋Ｒ２）／（Ｒ１−Ｒ２）＜０．８  ・・・（６ｂ）
０．９０＜α＜１．６０  ・・・（７ｂ）
１．５５０＜ｎｄ＜１．６５０  ・・・（８ｂ）
２．００＜ｆＲ／ｆＷ＜１５．００  ・・・（９ｂ）
【００３１】
各実施例では以上のように各要素を構成することにより、広角高変倍比であり、高性能である小型ハイスペックなズームレンズを得ることができる。
以下、図面を参照しながら、本発明のズームレンズの実施例を詳細に説明する。
【実施例１】
【００３２】
図１は実施例１のズームレンズの広角端におけるレンズ断面図である。実施例１は変倍比１７．００倍、開口比１．９１〜２．５２程度のズームレンズである。
【００３３】
レンズ断面図において、左方が物体側（前方）で、右方が像側（後方）である。ｉを物体側からのレンズ群の順番とすると、Ｌｉは第ｉレンズ群を示す。Ｇはプリズムや光学フィルタ等の光学ブロックである。ＳＰは開口絞りであり、ＩＰは像面である。像面ＩＰは、デジタルカメラやビデオカメラ、監視カメラの撮像光学系としてズームレンズを使用する際には、ＣＣＤセンサやＣＭＯＳセンサなどの撮像素子（光電変換素子）の撮像面に相当する。後述する実施例２乃至１２においても同様である。
【００３４】
実施例１のズームレンズは、物体側より像側へ順に配置された次のレンズ群より構成されている。正の屈折力の第１レンズ群Ｌ１、負の屈折力の第２レンズ群Ｌ２、負の屈折力の第３レンズ群Ｌ３、正の屈折力の第４レンズ群Ｌ４、開口絞りＳＰ、正の屈折力の第５レンズ群Ｌ５の５つのレンズ群から構成されている。ズーミングに際して第１レンズ群Ｌ１と第５レンズ群Ｌ５と開口絞りＳＰは不動である。広角端から望遠端へのズーミングに際して、第２レンズ群が像側に移動し、第３レンズ群は物体側に凸の軌跡で移動し、第４レンズ群は物体側に凸の軌跡で移動する。第１レンズ群Ｌ１は物体側から像側へ順に、合焦時に固定の負の屈折力の第１サブレンズ群Ｌ１ａ、合焦時に光軸上を移動する正の屈折力の第２サブレンズ群Ｌ１ｂからなる。フォーカスを行う場合には、第１レンズ群Ｌ１のうちの第２サブレンズ群Ｌ１ｂを、光軸上を移動させてフォーカシングを行うインナーフォーカス式を採用している。無限遠から近距離へフォーカスを行う場合に、第２サブレンズ群Ｌ１ｂが光軸上を物体側へ移動する。
【００３５】
本実施例のズームレンズは、好ましくは、第１レンズ群Ｌ１のレンズの枚数は次の如く構成するのが良い。これについては、後述する実施例についても同様である。
【００３６】
ズーム比が８０を超えるようなズームレンズにおいて小型化を実現する場合、第１レンズ群Ｌ１は広角端から望遠端において物体側に移動する構成とし、第１レンズ群Ｌ１は４枚以上で構成されることが好ましい。レンズ系が広角タイプの場合、軸外光線により第１レンズ群Ｌ１のレンズ外径が決まる。このため、第１レンズ群Ｌ１の構成レンズ枚数が少ないほど小型化に有利であるが、高倍率化を図るためには、第１レンズ群Ｌ１の構成枚数が少なすぎると球面収差やコマ収差、軸上色収差を共に補正することが困難となる。そのため、第１レンズ群Ｌ１の外径の決まる広角側のレンズ全長を縮めることで前玉における軸外光線の高さを低くし、第１レンズ群Ｌ１のレンズ枚数を増やしても大きさに大きな影響を与えない構成にすることが好ましい。特に、第１レンズ群は物体側より、負レンズ、複数の正レンズから構成することが好ましい。
【００３７】
また、ズーム比が２０〜６０程度のズームレンズにおいても、球面収差やコマ収差、軸上色収差を共に補正するために、第１レンズ群は物体側より負レンズ、複数の正レンズから構成することが好ましい。
【００３８】
また、ズーム比が１０以下のズームレンズにおいては、第１レンズ群Ｌ１は負レンズ、正レンズ、正レンズの３枚あるいは、負レンズ、正レンズの２枚から構成することが好ましい。また、第２レンズ群Ｌ２は、少なくとも負レンズ２枚、正レンズ１枚を有することが望ましい。
【００３９】
ズーミングに際して移動する第２レンズ群Ｌ２を負レンズ先行のレンズ群構成にすることで、広角化に対応することが可能となる。開口絞りＳＰの像側に隣接するレンズ群は正の屈折力を有することが望ましい。広角端において、軸上光束は負の屈折力の第２レンズ群Ｌ２を通過すると発散光束となるが、第２レンズ群Ｌ２より像側に続く開口絞りＳＰの像側に隣接したレンズ群Ｒを正の屈折力とする。これにより光束に対して収斂作用を持たせ、後群のレンズ有効径を小さくすることができる。
【００４０】
図２（Ａ）、（Ｂ）、（Ｃ）に実施例１の無限遠合焦時の広角端、中間のズーム位置、望遠端における収差図を示す。縦収差図における球面収差を示す図において、実線のｄはｄ線（波長５８７．６ｎｍ）、二点鎖線のｇはｇ線（波長４３５．８ｎｍ）、一点鎖線のＣはＣ線（波長６５６．３ｎｍ）を表している。また非点収差を示す図において、実線のＳはｄ線のサジタル方向、破線のＭはｄ線のメリディオナル方向を表している。また歪曲を示す収差図は、ｄ線における歪曲を表している。倍率色収差はｄ線に対するｇ線について示している。ＦｎｏはＦナンバー、ωは撮影画角の半画角（度）である。後述する実施例２乃至１２においても同様である。
【００４１】
本実施形態のズームレンズは、ビデオカメラやデジタルスチルカメラ、テレビカメラ、シネマカメラ及び監視カメラ等の撮像装置の撮像光学系として用いられるものである。
【実施例２】
【００４２】
図３は実施例２の広角端におけるレンズ断面図である。実施例２は変倍比１７．００倍、開口比１．９１〜２．５２程度のズームレンズである。
【００４３】
実施例２のズームレンズの概略の構成、ズーミング、フォーカシングのためのレンズ群の移動については、実施例１と同様であるので、説明を省略する。
【００４４】
図４（Ａ）、（Ｂ）、（Ｃ）は実施例２の無限遠合焦時の広角端、中間のズーム位置、望遠端における収差図である。
【実施例３】
【００４５】
図５は実施例３の広角端におけるレンズ断面図である。実施例３は変倍比１７．００倍、開口比１．９１〜２．５１程度のズームレンズである。
【００４６】
実施例３のズームレンズの概略の構成、ズーミング、フォーカシングのためのレンズ群の移動については、実施例１と同様であるので、説明を省略する。
【００４７】
図６（Ａ）、（Ｂ）、（Ｃ）、は実施例３の無限遠合焦時の広角端、中間のズーム位置、望遠端における収差図である。
【実施例４】
【００４８】
図７は実施例４の広角端におけるレンズ断面図である。実施例４は変倍比１７．００倍、開口比１．９１〜２．５２程度のズームレンズである。
【００４９】
実施例４のズームレンズの概略の構成、ズーミング、フォーカシングのためのレンズ群の移動については、実施例１と同様であるので、説明を省略する。
【００５０】
図８（Ａ）、（Ｂ）、（Ｃ）、は実施例４の無限遠合焦時の広角端、中間のズーム位置、望遠端における収差図である。
【実施例５】
【００５１】
図９は実施例５の広角端におけるレンズ断面図である。実施例５は変倍比１７．００倍、開口比１．９１〜２．５２程度のズームレンズである。
【００５２】
実施例５のズームレンズの概略の構成、ズーミング、フォーカシングのためのレンズ群の移動については、実施例１と同様であるので、説明を省略する。
【００５３】
図１０（Ａ）、（Ｂ）、（Ｃ）は実施例５の無限遠合焦時の広角端、中間のズーム位置、望遠端における収差図である。
【実施例６】
【００５４】
図１１は実施例６の広角端におけるレンズ断面図である。実施例６は変倍比８．００倍、開口比２．８０〜３．６２程度のズームレンズである。
【００５５】
実施例６のズームレンズは、第２レンズ群Ｌ２の移動により主な変倍を行っている。ズーミングに際し、広角端に比べ望遠端において第２レンズ群Ｌ２が像側に位置するように移動させることにより、第２レンズ群Ｌ２に大きな変倍効果を持たせている。広角端に比べ望遠端へのズーミングに際し、第３レンズ群Ｌ３は物体側に凸状の軌跡で移動する。また、ズーミングに際し、第１レンズ群Ｌ１と開口絞りＳＰ及び開口絞りＳＰより像側の第４レンズ群Ｌ４は常時固定とする。これにより広角端からＦ落ちポイントまでのズーム範囲でＦナンバーを一定に保っている。第１レンズ群Ｌ１は物体側から像側へ順に、合焦時に不動の負の屈折力の第１サブレンズ群Ｌ１ａ、合焦時に光軸上を移動する正の屈折力の第２サブレンズ群Ｌ１ｂ、合焦時に固定の正の屈折力の第３サブレンズ群Ｌ１ｃからなる。フォーカスを行う場合には、第１レンズ群のうち第２サブレンズ群Ｌ１ｂを、光軸上を移動させてフォーカシングを行うインナーフォーカス式を採用している。無限遠から近距離へフォーカスを行う場合に、第２サブレンズ群Ｌ１ｂが光軸上を像側へ移動する。
【００５６】
図１２（Ａ）、（Ｂ）、（Ｃ）は実施例６の無限遠合焦時の広角端、中間のズーム位置、望遠端における収差図である。
【実施例７】
【００５７】
図１３は実施例７の広角端におけるレンズ断面図である。実施例７は変倍比１１７．６０倍、開口比１．７８〜５．１９程度のズームレンズである。
【００５８】
実施例７のズームレンズは、物体側より像側へ順に配置された次のレンズ群より構成されている。正の屈折力の第１レンズ群Ｌ１、負の屈折力の第２レンズ群Ｌ２、正の屈折力の第３レンズ群Ｌ３、負の屈折力の第４レンズ群Ｌ４、開口絞りＳＰ、正の屈折力の第５レンズ群Ｌ５の５つのレンズ群から構成されている。ズーミングに際して第１レンズ群Ｌ１と第５レンズ群Ｌ５は不動である。広角端から望遠端へのズーミングに際して、第２レンズ群Ｌ２が像側に移動し、第３レンズ群は物体側に移動し、第４レンズ群Ｌ４は物体側に移動する。実施例７のズームレンズは、第２レンズ群Ｌ２の移動により主な変倍を行っている。ズーミングに際し、広角端に比べ望遠端において第２レンズ群Ｌ２が像側に位置するように移動させることにより、第２レンズ群Ｌ２に大きな変倍効果を持たせている。また、ズーミングに際し、第１レンズ群Ｌ１と開口絞りＳＰ及び開口絞りＳＰより像側の第５レンズ群Ｌ５は常時固定とする。これにより広角端からＦ落ちポイントまでのズーム範囲でＦナンバーを一定に保っている。また、高性能化による第１レンズ群Ｌ１のレンズ枚数を削減し、レンズの小型化を図るためには、高屈折率材料である異常分散ガラスの使用が重要となる。第１レンズ群Ｌ１は物体側から像側へ順に、合焦時に不動の負の屈折力の第１サブレンズ群Ｌ１ａ、合焦時に光軸上を移動する正の屈折力の第２サブレンズ群Ｌ１ｂ、合焦時に光軸上を移動する正の屈折力の第３サブレンズ群Ｌ１ｃからなる。無限遠から近距離へフォーカスを行う場合には、第１レンズ群Ｌ１のうち第２サブレンズ群Ｌ１ｂ及び第３サブレンズ群Ｌ１ｃを、互いに異なった軌跡で光軸上を移動させてフォーカシングを行うフローティングインナーフォーカス式を採用している。無限遠から近距離へフォーカスを行う場合に、第２サブレンズ群Ｌ１ｂ及び第３サブレンズ群Ｌ１ｃが光軸上を物体側へ移動する。このとき第２サブレンズ群Ｌ１ｂの方が第３サブレンズ群Ｌ１ｃに比べて移動量が大きい。
【００５９】
図１４（Ａ）、（Ｂ）、（Ｃ）は実施例７の無限遠合焦時の広角端、中間のズーム位置、望遠端における収差図である。
【実施例８】
【００６０】
図１５は実施例８の広角端におけるレンズ断面図である。実施例８は変倍比３０．００倍、開口比１．５２〜２．１９程度のズームレンズである。
【００６１】
実施例８のズームレンズは、物体側より像側へ順に配置された次のレンズ群より構成されている。正の屈折力の第１レンズ群Ｌ１、負の屈折力の第２レンズ群Ｌ２、正の屈折力の第３レンズ群Ｌ３、正の屈折力の第４レンズ群Ｌ４、絞りＳＰ、正の屈折力の第５レンズ群Ｌ５の５つのレンズ群から構成されている。ズーミングに際して第１レンズ群Ｌ１と第５レンズ群Ｌ５と開口絞りＳＰは不動である。広角端から望遠端へのズーミングに際して、第２レンズ群が像側に移動し、第３レンズ群は物体側に凸の軌跡で移動し、第４レンズ群は物体側に凸の軌跡で移動する。実施例８のズームレンズは、第２レンズ群Ｌ２の移動により主な変倍を行っている。ズーミングに際し、広角端に比べ望遠端において第２レンズ群Ｌ２が像側に位置するように移動させることにより、第２レンズ群Ｌ２に大きな変倍効果を持たせている。また、ズーミングに際し、開口絞りＳＰ及び開口絞りＳＰより像側の第５レンズ群Ｌ５は常時固定とすることで、これにより広角端からＦ落ちポイントまでのズーム範囲でＦナンバーを一定に保っている。第１レンズ群Ｌ１は物体側から像側へ順に、合焦時に固定の負の屈折力の第１サブレンズ群Ｌ１ａ、合焦時に光軸上を移動する正の屈折力の第２サブレンズ群Ｌ１ｂ、合焦時に不動の正の屈折力の第３サブレンズ群Ｌ１ｃからなる。フォーカスを行う場合には、第１レンズ群Ｌ１のうち第２サブレンズ群Ｌ１ｂを、光軸上を移動させてフォーカシングを行うインナーフォーカス式を採用している。無限遠から近距離へフォーカスを行う場合に、第２サブレンズ群Ｌ１ｂが光軸上を像側へ移動する。
【００６２】
図１６（Ａ）、（Ｂ）、（Ｃ）は実施例８の無限遠合焦時の広角端、中間のズーム位置、望遠端における収差図である。
【実施例９】
【００６３】
図１７は実施例９の広角端におけるレンズ断面図である。実施例９は変倍比９．７９倍、開口比１．９０〜２．８８程度のズームレンズである。
【００６４】
実施例９のズームレンズは、物体側より像側へ順に配置された次のレンズ群より構成されている。正の屈折力の第１レンズ群Ｌ１、負の屈折力の第２レンズ群Ｌ２、開口絞りＳＰ、正の屈折力の第３レンズ群Ｌ３、正の屈折力の第４レンズ群Ｌ４の４つのレンズ群から構成されている。広角端から望遠端へのズーミングに際して、第１レンズ群と開口絞りＳＰはズーミング時不動であり、第２レンズ群が像側に移動し、第３レンズ群は物体側に凸の軌跡で移動し、第４レンズ群は物体側に凸の軌跡で移動している。第１レンズ群をズーミング時不動にすることで、レンズ全長を維持したままのズームを容易とする。実施例９のズームレンズは、第２レンズ群の移動により主な変倍を行っている。ズーミングに際し、広角端に比べ望遠端において第２レンズ群Ｌ２が像側に位置するように移動させることにより、第２レンズ群Ｌ２に大きな変倍効果を持たせている。また、ズーミングに際し、広角端に比べ望遠端において第３レンズ群Ｌ３が物体側に位置するように移動させることにより、フォーカシング用の第４レンズ群Ｌ４のフォーカススペースを確保している。第４レンズ群Ｌ４は光軸上を移動させてフォーカシングを行うリヤフォーカス式を採用している。そして、第４レンズ群を移動させて変倍に伴う像面変動を補正すると共に、フォーカシングを行っている。ズーミングにおける第４レンズ群Ｌ４の移動軌跡を物体側に凸状とすることで、第３レンズ群Ｌ３と第４レンズ群Ｌ４の空間の有効利用を図り、レンズ全長の短縮化を効果的に達成している。
【００６５】
図１８（Ａ）、（Ｂ）、（Ｃ）は実施例９の無限遠合焦時の広角端、中間のズーム位置、望遠端における収差図である。
【実施例１０】
【００６６】
図１９は実施例１０の広角端におけるレンズ断面図である。実施例１０は変倍比１１．７３倍、開口比１．９２〜２．８８程度のズームレンズである。
【００６７】
実施例１０のズームレンズにおいては、物体側より像側へ順に配置されたレンズ群の構成は実施例９と同じである。一方、広角端から望遠端へのズーミングに際して、第１レンズ群は物体側に移動し、第２レンズ群は像側に移動し、第３レンズ群は物体側に凸の軌跡で移動し、第４レンズ群は物体側に凸の軌跡で移動している。ズームレンズにおいては、開口絞りＳＰは不動である。広角端から望遠端へのズーミングに際して、１群が物体側に移動することで高ズーム比の達成を容易としている。
【００６８】
図２０（Ａ）、（Ｂ）、（Ｃ）は実施例１０の無限遠合焦時の広角端、中間のズーム位置、望遠端における収差図である。
【実施例１１】
【００６９】
図２１は実施例１１の広角端におけるレンズ断面図である。実施例１１は変倍比４１．５４倍、開口比２．０１〜４．９０程度のズームレンズである。
【００７０】
実施例１１のズームレンズは、物体側より像側へ順に配置された次のレンズ群より構成されている。正の屈折力の第１レンズ群Ｌ１、負の屈折力の第２レンズ群Ｌ２、開口絞りＳＰ、正の屈折力の第３レンズ群Ｌ３、負の屈折力の第４レンズ群Ｌ４、正の屈折力の第５レンズ群Ｌ５の５つのレンズ群から構成されている。ズーミングに際して第１レンズ群Ｌ１と第５レンズ群Ｌ５と開口絞りＳＰは不動である。広角端から望遠端へのズーミングに際して、第２レンズ群Ｌ２が像側に移動し、第３レンズ群Ｌ３は物体側に凸状の軌跡で移動し、第４レンズ群Ｌ４は第２レンズ群Ｌ２、第３レンズ群Ｌ３の移動による像面変動を補正するように像側に凸状の軌跡で移動する。実施例１０のズームレンズは、第２レンズ群Ｌ２の移動により主な変倍を行っている。ズーミングに際し、広角端に比べ望遠端において第２レンズ群Ｌ２が像側に位置するように移動させることにより、第２レンズ群Ｌ２に大きな変倍効果を持たせている。第４レンズ群Ｌ４は光軸上を移動させてフォーカシングを行うリヤフォーカス式を採用している。そして、第４レンズ群Ｌ４を移動させて変倍に伴う像面変動を補正すると共に、フォーカシングを行っている。
【００７１】
図２２（Ａ）、（Ｂ）、（Ｃ）は実施例１１の無限遠合焦時の広角端、中間のズーム位置、望遠端における収差図である。
【実施例１２】
【００７２】
図２３は実施例１２の広角端におけるレンズ断面図である。実施例１２は変倍比４０．９２倍、開口比２．０１〜４．９５程度のズームレンズである。
【００７３】
実施例１２のズームレンズは、物体側より像側へ順に配置された次のレンズ群より構成されている。正の屈折力の第１レンズ群Ｌ１、負の屈折力の第２レンズ群Ｌ２、負の屈折力の第３レンズ群Ｌ３、開口絞りＳＰ、正の屈折力の第４レンズ群Ｌ４、負の屈折力の第５レンズ群Ｌ５、正の屈折力の第６レンズ群Ｌ６の６つのレンズ群から構成されている。ズーミングに際して第１レンズ群Ｌ１と第６レンズ群Ｌ６と開口絞りＳＰは不動である。広角端から望遠端へのズーミングに際して、第２レンズ群Ｌ２と第３レンズ群Ｌ３が像側に移動し、第４レンズ群Ｌ４は物体側に凸状の軌跡で移動し、第５レンズ群Ｌ５は第２レンズ群Ｌ２、第３レンズ群Ｌ３、第４レンズ群Ｌ４の移動による像面変動を補正するように像側に凸状の軌跡で移動する。実施例１２のズームレンズは、第２レンズ群Ｌ２と第３レンズ群Ｌ３の移動により主な変倍を行っている。ズーミングに際し、広角端に比べ望遠端において第２レンズ群Ｌ２と第３レンズ群Ｌ３が像側に位置するように移動させることにより、第２レンズ群Ｌ２と第３レンズ群Ｌ３に大きな変倍効果を持たせている。第５レンズ群Ｌ５は光軸上を移動させてフォーカシングを行うリヤフォーカス式を採用している。そして、第５レンズ群Ｌ５を移動させて変倍に伴う像面変動を補正すると共に、フォーカシングを行っている。
【００７４】
図２４（Ａ）、（Ｂ）、（Ｃ）は実施例１２の無限遠合焦時の広角端、中間のズーム位置、望遠端における収差図である。
【００７５】
［撮像装置に係る実施形態］
次に本発明のズームレンズを撮像光学系として用いたＴＶカメラ（撮像装置）の実施形態を、図２６を用いて説明する。図２６において１０１は実施例１から８までのいずれかのズームレンズである。１２４はカメラである。ズームレンズ１０１はカメラ１２４に対して着脱可能となっている。１２５はカメラ１２４にズームレンズ１０１を装着することで構成される撮像装置である、ズームレンズ１０１は第１レンズ群Ｆ、変倍部ＬＺ、結像用のレンズ群Ｒを有している。第１レンズ群Ｆはフォーカシングに際して移動するレンズ群が含まれている。
【００７６】
変倍部ＬＺはズーミングに際して移動する少なくとも２つ以上のレンズ群が含まれている。変倍部ＬＺより像側には開口絞りＳＰ、レンズ群Ｒ１、レンズ群Ｒ２、レンズ群Ｒ３が配置され、光路中より挿抜可能なレンズユニットＩＥを有している。レンズ群Ｒ１とレンズ群Ｒ２との間にレンズユニットＩＥを挿入されることで、ズームレンズ１０１の全系の焦点距離範囲を変位している。
【００７７】
１１４、１１５は各々第１レンズ群Ｆ、変倍部のＬＺを光軸方向に駆動するヘリコイドやカム等の駆動機構である。１１６〜１１８は駆動機構１１４、１１５及び開口絞りＳＰを電気駆動するモータ（駆動手段）である。
【００７８】
１１９〜１２１は、第１レンズ群Ｆや変倍部ＬＺの光軸上の位置や、開口絞りＳＰの絞り径を検出するためのエンコーダやポテンショメータ、あるいはフォトセンサなどの検出器である。カメラ１２４において、１０９はカメラ１２４内の光学フィルタや色分解光学系に相当するガラスブロック、１１０はズームレンズ１０１によって形成された被写体像を受光するＣＣＤセンサやＣＭＯＳセンサなどの撮像素子（光電変換素子）である。また、１１１、１２２はカメラ１２４及びズームレンズ１０１の各種の駆動を制御するＣＰＵ（制御部）である。
【００７９】
このように本発明のズームレンズをテレビカメラに適用することにより、高い光学性能を有する撮像装置を実現している。
【００８０】
次に本発明の実施例１乃至１２に対応する数値データ１乃至１２を示す。各数値データにおいてｉは物体側からの面の順序を示す。
【００８１】
ｒｉは物体側より順に第ｉ番目のレンズ面の曲率半径、ｄｉは物体側より順に第ｉ面と第ｉ＋１面の間のレンズ厚又は空気間隔、ｎｄｉとνｄｉは各々物体側より順に第ｉ面と第ｉ＋１面の間のレンズの材料の屈折率とアッベ数である。
【００８２】
ＢＦはバックフォーカスであり、最終レンズ面から像面までの空気換算での距離で示している。レンズ全長は第１レンズ面から最終レンズ面までの距離にバックフォーカスを加えた値である。
【００８３】
非球面データにおける非球面形状は、次式で表される。ここで、光軸をＸ軸とし、光軸とは直交する軸をＨ軸とし、光の進行方向をＸ軸の正の方向とする。また、Ｒを近軸曲率半径とし、ｋを円錐定数とし、Ａ２、Ａ４、Ａ６、Ａ８、Ａ１０、Ａ１２、Ａ１４およびＡ１６のそれぞれを非球面係数とする。
【数１】
2020012908.tif 000003
【００８４】
各非球面形状において［ｅ−Ｘ］は［×１０−Ｘ］を意味している。焦点距離、Ｆナンバー等のスペックに加え、全系の半画角、像高は半画角を決定する最大像高である。また各レンズ群データは、各レンズ群の焦点距離を示している。
【００８５】
また各光学面の間隔ｄが（可変）となっている部分は、ズーミングに際して変化するものであり、別表に焦点距離に応じた面間隔を示している。なお、以下に記載する数値実施例１乃至１２のレンズデータに基づく各条件式の計算結果を表１に示す。なお、表１中で、各実施例の第１レンズ群に含まれる正レンズＧｐは、物体側から数えてｉ番目のレンズ要素として、番号ｉで特定し、複数の正レンズＧｐが含まれる実施例については、それぞれの正レンズＧｐに対する数値を記載した。
【００８６】
（数値実施例１）
単位 mm
面データ
面番号i      ri       di     ndi       vdi           
1       -169.778    2.30   1.72047    34.7           
2        254.813    3.35                             
3       1251.398    2.30   1.80100    35.0           
4         76.979   16.11   1.49700    81.5           
5       -122.039    0.40                             
6        124.547    7.78   1.43387    95.1           
7       -475.080    6.90                             
8        106.869    9.61   1.61800    63.3           
9       -218.758    0.15                             
10         57.696    5.08   1.73000    49.0           
11        108.956  (可変)                             
12         49.124    0.90   1.88300    40.8           
13         12.975    5.85                             
14        -57.407    6.56   1.80810    22.8           
15        -12.717    0.70   1.88300    40.8           
16         61.202    0.20                             
17         25.016    2.76   1.66680    33.0           
18         65.076  (可変)                             
19        -27.028    0.70   1.75700    47.8           
20         38.607    2.87   1.84649    23.9           
21      -2631.666  (可変)                             
22       -221.887    3.66   1.63854    55.4           
23        -33.463    0.15                             
24         81.325    3.70   1.51633    64.1           
25        -79.121  (可変)                             
26(絞り)    ∞       1.30                             
27         35.753    5.92   1.51742    52.4           
28        -38.894    0.90   1.83481    42.7           
29         85.495   32.40                             
30         65.663    4.58   1.56384    60.7           
31        -45.524    0.25                             
32       -112.716    1.18   1.83403    37.2           
33         22.618    6.50   1.48749    70.2           
34       -112.436    0.29                             
35        464.409    4.29   1.56384    60.7           
36        -40.330    1.20   1.83481    42.7           
37       -132.442    6.72                             
38         36.993    5.01   1.55000    56.8           
39       -124.401    4.00                             
40          ∞      33.00   1.60859    46.4           
41          ∞      13.20   1.51633    64.1           
42          ∞       8.00                             
像面        ∞   
各種データ
ズーム比     17.00 
広角     中間     望遠
焦点距離       8.06    33.43   136.96  
Fナンバー      1.91     1.92     2.52  
半画角（度）  34.32     9.34     2.30  
像高           5.50     5.50     5.50  
レンズ全長   272.76   272.76   272.76  
BF             8.00     8.00     8.00  
d11            0.80    32.92    47.01  
d18           49.21    10.36    12.26  
d21            6.22    11.27     1.79  
d25            5.74     7.43     0.91  
ズームレンズ群データ
群  始面    焦点距離  
1    1      61.00  
2   12     -13.50  
3   19     -39.48  
4   22      34.61  
5   26      49.21  
【００８７】
（数値実施例２）
単位 mm
面データ
面番号i      ri       di     ndi        vdi           
1       -169.778    2.30   1.72047    34.7           
2        254.813    3.35                             
3       1251.398    2.30   1.80100    35.0           
4         76.979   16.11   1.49700    81.5           
5       -122.039    0.40                             
6        124.547    7.78   1.43387    95.1           
7       -475.080    6.90                             
8        106.869    9.61   1.61800    63.3           
9       -218.758    0.15                             
10         57.696    5.08                             
11        108.956  (可変)                             
12         49.124    0.90   1.88300    40.8           
13         12.975    5.85                             
14        -57.407    6.56   1.80810    22.8           
15        -12.717    0.70   1.88300    40.8           
16         61.202    0.20                             
17         25.016    2.76   1.66680    33.0           
18         65.076  (可変)                             
19        -27.028    0.70   1.75700    47.8           
20         38.607    2.87   1.84649    23.9           
21      -2631.666  (可変)                             
22       -221.887    3.66   1.63854    55.4           
23        -33.463    0.15                             
24         81.325    3.70   1.51633    64.1           
25        -79.121  (可変)                             
26(絞り)    ∞       1.30                             
27         35.753    5.92   1.51742    52.4           
28        -38.894    0.90   1.83481    42.7           
29         85.495   32.40                             
30         66.310    4.55   1.49700    81.5           
31        -45.834    0.27                             
32       -470.913    1.19   1.83403    37.2           
33         22.369    5.71   1.48749    70.2           
34        447.229    4.26                             
35        353.595    4.46   1.50127    56.5           
36        -38.170    2.21   1.83481    42.7           
37        -74.372    2.04                             
38         35.188    5.33   1.65000    65.5           
39       1949.659    4.00                             
40          ∞      33.00   1.60859    46.4           
41          ∞      13.20   1.51633    64.1           
42          ∞       8.17                            
像面        ∞   
各種データ
ズーム比     17.00 
広角     中間     望遠
焦点距離       8.05    33.42   136.88  
Fナンバー      1.91     1.92     2.52  
半画角（度）  34.34     9.35     2.30  
像高           5.50     5.50     5.50  
レンズ全長   272.92   272.92   272.92  
BF             8.17     8.17     8.17  
d11            0.80    32.92    47.01  
d18           49.21    10.36    12.26  
d21            6.22    11.27     1.79  
d25            5.74     7.43     0.91  
ズームレンズ群データ
群  始面    焦点距離  
1    1      61.00  
2   12     -13.50  
3   19     -39.48  
4   22      34.61  
5   26      49.21  
【００８８】
（数値実施例３）
単位 mm
面データ
面番号i      ri       di     ndi        vdi           
1       -169.778    2.30   1.72047    34.7           
2        254.813    3.35                             
3       1251.398    2.30   1.80100    35.0           
4         76.979   16.11   1.49700    81.5           
5       -122.039    0.40                             
6        124.547    7.78   1.43387    95.1           
7       -475.080    6.90                             
8        106.869    9.61   1.61800    63.3           
9       -218.758    0.15                             
10         57.696    5.08                             
11        108.956  (可変)                             
12         49.124    0.90   1.88300    40.8           
13         12.975    5.85                             
14        -57.407    6.56   1.80810    22.8           
15        -12.717    0.70   1.88300    40.8           
16         61.202    0.20                             
17         25.016    2.76   1.66680    33.0           
18         65.076  (可変)                             
19        -27.028    0.70   1.75700    47.8           
20         38.607    2.87   1.84649    23.9           
21      -2631.666  (可変)                             
22       -221.887    3.66   1.63854    55.4           
23        -33.463    0.15                             
24         81.325    3.70   1.51633    64.1           
25        -79.121  (可変)                             
26(絞り)    ∞       1.30                             
27         35.753    5.92   1.51742    52.4           
28        -38.894    0.90   1.83481    42.7           
29         85.495   30.15                             
30         66.094    4.56   1.49700    81.5           
31        -45.731    0.27                             
32       -323.429    1.19   1.83403    37.2           
33         23.844    5.06   1.48749    70.2           
34        136.843    6.70                             
35         63.596    5.85   1.50127    56.5           
36        -32.953    2.21   1.83481    42.7           
37        -60.663    1.20                             
38         33.018    5.22   1.48107    80.0           
39        264.618    4.00                             
40          ∞      33.00   1.60859    46.4           
41          ∞      13.20   1.51633    64.1           
42          ∞       7.13                            
像面        ∞   
各種データ
ズーム比     17.00 
広角     中間     望遠
焦点距離       8.04    33.36   136.64  
Fナンバー      1.91     1.91     2.51  
半画角（度）  34.38     9.36     2.30  
像高           5.50     5.50     5.50  
レンズ全長   271.87   271.87   271.87  
BF             7.13     7.13     7.13  
d11            0.80    32.92    47.01  
d18           49.21    10.36    12.26  
d21            6.22    11.27     1.79  
d25            5.74     7.43     0.91  
ズームレンズ群データ
群  始面    焦点距離  
1    1      61.00  
2   12     -13.50  
3   19     -39.48  
4   22      34.61  
5   26      49.21  
【００８９】
（数値実施例４）
単位 mm
面データ
面番号i      ri       di     ndi        vdi           
1       -169.778    2.30   1.72047    34.7           
2        254.813    3.35                             
3       1251.398    2.30   1.80100    35.0           
4         76.979   16.11   1.49700    81.5           
5       -122.039    0.40                             
6        124.547    7.78   1.43387    95.1           
7       -475.080    6.90                             
8        106.869    9.61   1.61800    63.3           
9       -218.758    0.15                             
10         57.696    5.08   1.73000    49.0           
11        108.956  (可変)                             
12         49.124    0.90   1.88300    40.8           
13         12.975    5.85                             
14        -57.407    6.56   1.80810    22.8           
15        -12.717    0.70   1.88300    40.8           
16         61.202    0.20                             
17         25.016    2.76   1.66680    33.0           
18         65.076  (可変)                             
19        -27.028    0.70   1.75700    47.8           
20         38.607    2.87   1.84649    23.9           
21      -2631.666  (可変)                             
22       -221.887    3.66   1.63854    55.4           
23        -33.463    0.15                             
24         81.325    3.70   1.51633    64.1           
25        -79.121  (可変)                             
26(絞り)    ∞       1.30                             
27         35.753    5.92   1.51742    52.4           
28        -38.894    0.90   1.83481    42.7           
29         85.495   32.40                             
30         67.370    4.51   1.65000    55.0           
31        -46.338    0.24                             
32        -79.826    1.18   1.83403    37.2           
33         22.718    6.90   1.48749    70.2           
34        -69.682    0.29                             
35        305.862    4.27   1.56384    60.7           
36        -42.490    1.20   1.83481    42.7           
37       -318.014    6.35                             
38         37.586    5.08   1.55000    56.8           
39       -107.749    4.00                             
40          ∞      33.00   1.60859    46.4           
41          ∞      13.20   1.51633    64.1           
42          ∞       7.61                             
像面        ∞   
各種データ
ズーム比     17.00 
広角     中間     望遠
焦点距離       8.05    33.40   136.83  
Fナンバー      1.91     1.92     2.52  
半画角（度）  34.35     9.35     2.30  
像高           5.50     5.50     5.50  
レンズ全長   272.37   272.37   272.37  
BF             7.61     7.61     7.61  
d11            0.80    32.92    47.01  
d18           49.21    10.36    12.26  
d21            6.22    11.27     1.79  
d25            5.74     7.43     0.91  
ズームレンズ群データ
群  始面    焦点距離  
1    1      61.00  
2   12     -13.50  
3   19     -39.48  
4   22      34.61  
5   26      49.21  
【００９０】
（数値実施例５）
単位 mm
面データ
面番号i      ri       di     ndi        vdi           
1       -169.778    2.30   1.72047    34.7           
2        254.813    3.35                             
3       1251.398    2.30   1.80100    35.0           
4         76.979   16.11   1.49700    81.5           
5       -122.039    0.40                             
6        124.547    7.78   1.43387    95.1           
7       -475.080    6.90                             
8        106.869    9.61   1.61800    63.3           
9       -218.758    0.15                             
10         57.696    5.08   1.73000    49.0           
11        108.956  (可変)                             
12         49.124    0.90   1.88300    40.8           
13         12.975    5.85                             
14        -57.407    6.56   1.80810    22.8           
15        -12.717    0.70   1.88300    40.8           
16         61.202    0.20                             
17         25.016    2.76   1.66680    33.0           
18         65.076  (可変)                             
19        -27.028    0.70   1.75700    47.8           
20         38.607    2.87   1.84649    23.9           
21      -2631.666  (可変)                             
22       -221.887    3.66   1.63854    55.4           
23        -33.463    0.15                             
24         81.325    3.70   1.51633    64.1           
25        -79.121  (可変)                             
26(絞り)    ∞       1.30                             
27         35.753    5.92   1.51742    52.4           
28        -38.894    0.90   1.83481    42.7           
29         85.495   32.40                             
30         65.911    4.57   1.56384    60.7           
31        -45.643    0.25                             
32       -113.396    1.18   1.83403    37.2           
33         22.824    6.24   1.48749    70.2           
34       -167.387    0.29                             
35        238.527    4.09   1.48116    80.2           
36        -48.665    1.20   1.83481    42.7           
37       -102.513    7.30                             
38         36.070    4.90   1.55000    56.8           
39       -167.278    4.00                             
40          ∞      33.00   1.60859    46.4           
41          ∞      13.20   1.51633    64.1           
42          ∞       7.64                            
像面        ∞   
各種データ
ズーム比     17.00 
広角     中間     望遠
焦点距離       8.06    33.44   136.96  
Fナンバー      1.91     1.92     2.52  
半画角（度）  34.32     9.34     2.30  
像高           5.50     5.50     5.50  
レンズ全長   272.40   272.40   272.40  
BF             7.64     7.64     7.64  
d11            0.80    32.92    47.01  
d18           49.21    10.36    12.26  
d21            6.22    11.27     1.79  
d25            5.74     7.43     0.91  
ズームレンズ群データ
群  始面    焦点距離  
1    1      61.00  
2   12     -13.50  
3   19     -39.48  
4   22      34.61  
5   26      49.21  
【００９１】
（数値実施例６）
単位 mm
面データ
面番号i      ri       di     ndi        vdi           
1          ∞       1.00                              
2          ∞       4.00                             
3          ∞       1.00                             
4        794.405    3.20   1.77250    49.6           
5         61.483   23.90                             
6       -117.328    2.70   1.77250    49.6           
7        420.939    0.19                             
8        145.462    7.13   1.92286    20.9           
9        781.653    2.00                             
10        543.934   10.79   1.65000    65.5           
11*      -138.725    0.20                             
12        622.621   15.01   1.49700    81.5           
13        -76.527    2.50   1.80000    29.8           
14       -131.842    6.48                             
15        119.988    2.50   1.73800    32.3           
16         56.142   21.05   1.49700    81.5           
17       -180.468    0.20                             
18         72.805   11.83   1.53715    74.8           
19       -773.868    0.20                             
20         84.244    2.95   1.79000    45.5           
21         94.537  (可変)                             
22*        63.183    1.20   1.88300    40.8           
23         18.016    5.66                             
24        -99.851    4.19   1.84666    23.8           
25        -22.617    0.70   1.77250    49.6           
26        -98.979    2.20                             
27        -25.408    0.70   1.72916    54.7           
28        153.099    0.16                             
29         53.647    3.90   1.65412    39.7           
30        -80.735  (可変)                             
31        -34.231    0.90   1.65160    58.5           
32        104.898    2.42   1.80810    22.8           
33       -593.604  (可変)                             
34(絞り)    ∞       1.29                             
35        789.965    4.34   1.75500    52.3           
36        -62.245    0.20                             
37         68.487    5.16   1.61800    63.3           
38       -177.905    0.20                             
39         59.636    5.52   1.49700    81.5           
40       -150.686    1.20   2.00100    29.1           
41        216.922    0.20                             
42         43.410    9.67   1.51633    64.1           
43        -53.614    1.10   1.77250    49.6           
44         88.071   20.42                             
45         38.782    5.22   1.48749    70.2           
46        -52.623    0.20                             
47         27.302    5.50   1.48749    70.2           
48        -44.953    1.00   2.00069    25.5           
49         22.682    2.60                             
50        159.989    7.14   1.80810    22.8           
51        -15.899    1.00   1.88300    40.8           
52        260.119    9.05                             
53         35.452    4.49   1.59410    60.5           
54        318.754   38.39                             
像面        ∞   
非球面データ
第8面
K = 1.37949e+000  A 4= 2.10963e-007  A 6= 2.49669e-011  A 8=-8.31143e-014  A10= 1.33469e-016  A12=-1.15159e-019  A14= 4.94652e-023  A16=-8.37959e-027  
第19面
K = 3.22264e+000  A 4= 1.50250e-006  A 6=-1.35456e-008  A 8= 7.91301e-011  A10=-5.49408e-013  A12= 2.11357e-015  A14=-3.81816e-018  A16= 1.81480e-021  
各種データ
ズーム比      8.00 
広角     中間     望遠
焦点距離      20.00    70.00   160.00  
Fナンバー      2.80     2.80     3.62  
半画角（度）  37.86    12.52     5.55  
像高          15.55    15.55    15.55  
レンズ全長   316.17   316.17   316.17  
BF            38.39    38.39    38.39  
d18            0.69    33.24    44.35  
d27           41.36     5.87     6.17  
d30            9.40    12.33     0.93  
ズームレンズ群データ
群  始面    焦点距離  
1    1      52.10  
2   19     -21.50  
3   28     -62.00  
4   31      36.77  
【００９２】
（数値実施例７）
単位 mm
面データ
面番号i      ri       di     ndi        vdi           
1      -3486.328    6.00   1.83400    37.2           
2        354.104    2.00                             
3        374.631   29.00   1.43387    95.1           
4       -559.221   24.39                             
5        413.181   21.50   1.43387    95.1           
6      -1553.164    0.25                             
7        292.316   20.00   1.43387    95.1           
8       1699.310    2.03                             
9        196.535   23.20   1.49700    81.5           
10        767.984  (可変)                             
11*      1157.575    2.20   2.00330    28.3           
12         49.905    8.00                             
13       -108.364    1.45   1.81600    46.6           
14         41.542    9.52   1.92286    18.9           
15       -111.205    2.50                             
16        -54.058    2.20   1.83400    37.2           
17        272.771  (可変)                             
18        120.317   11.50   0.00000    67.0           
19*      -389.309    0.50                             
20        223.990   10.00   0.00000    67.0           
21       -361.940    0.20                             
22        121.701    2.00   1.84666    23.8           
23         59.931   18.00   1.43875    94.9           
24       -508.615    0.50                             
25        121.276    8.00   0.00000    67.0           
26*     -2108.445  (可変)                             
27       -321.841    1.40   1.88300    40.8           
28         36.044    8.00   1.80810    22.8           
29        739.664  (可変)                             
30(絞り)    ∞     (可変)                             
31        -45.981    2.00   1.88300    40.8           
32      -6420.334    2.00                             
33         79.836    5.00   1.80810    22.8           
34       3941.032    2.00                             
35       10490.323    4.00   1.81600    46.6          
36        133.354    8.00                             
37        -62.794    2.00   1.83400    37.2           
38         69.354   11.00   1.51633    64.1           
39        -44.181    1.00                             
40       -412.945   12.25   1.62041    60.3           
41        -57.557    5.00                             
42        798.666    8.00   1.54072    47.2           
43        -60.592    1.20                             
44         49.683    2.50   1.83400    37.2           
45         24.852    9.50   1.48749    70.2           
46         60.789    0.50                             
47         40.518    8.00   1.53172    48.8           
48        -56.942    3.00   1.88300    40.8           
49         33.466    2.00                             
50         28.696    8.63   1.55000    56.8           
51       -112.410    5.00                             
52          ∞      33.00   1.60859    46.4           
53          ∞      13.20   1.51633    64.2           
54          ∞       5.00                             
像面        ∞   
非球面データ
第11面
K =-7.30345e+002  A 4= 4.66948e-007  A 6=-2.19251e-010  A 8= 2.84425e-012  A10=-6.60672e-015  A12= 4.97117e-018  
第19面
K = 0.00000e+000  A 4=-5.96926e-008  A 6= 9.70707e-011  A 8=-2.28953e-014  A10=-6.92120e-019  A12= 1.30954e-021  
第26面
K = 0.00000e+000  A 4= 3.54390e-007  A 6= 1.11606e-010  A 8=-3.97683e-013  A10= 3.46209e-016  A12=-9.86702e-020  
各種データ
ズーム比    117.60 
広角     中間     望遠
焦点距離       8.93    60.77   1049.83  
Fナンバー      1.78     1.78     5.19  
半画角（度）  31.64     5.17     0.30  
像高           5.50     5.50     5.50  
レンズ全長   661.65   661.65   661.65  
BF             5.00     5.00     5.00  
d10            2.05   134.07   191.25  
d17          281.20   125.77     2.00  
d26            2.05    20.05    58.22  
d29            1.22     6.64    35.04  
d30            7.00     7.00     7.00  
ズームレンズ群データ
群  始面    焦点距離  
1    1     250.00  
2   11     -25.70  
3   18      66.00  
4   27    -170.00  
5   31      62.59  
【００９３】
（数値実施例８）
単位 mm
面データ
面番号i      ri       di     ndi        vdi        
1        986.400    4.70   1.77250    49.6           
2        152.315   36.35                             
3       -389.257    4.50   1.77250    49.6           
4        649.417    0.15                             
5        309.455    9.28   1.71736    29.5           
6        773.725   10.00                             
7      -2927.374   14.00   1.49700    81.5           
8       -260.740    0.20                             
9       2461.113    4.40   1.80518    25.4           
10        290.226   15.00   1.49700    81.5           
11       -629.504   44.00                             
12        532.816   17.08   1.49700    81.5           
13       -273.087    0.15                             
14        458.740   12.43   1.49700    81.5           
15       -632.796    0.15                             
16        334.033    8.64   1.60000    62.0           
17       1546.906  (可変)                             
18*       557.320    1.50   1.77250    49.6           
19         97.578    5.64                             
20        438.891    1.50   1.72916    54.7           
21         34.755   10.46   1.84666    23.8           
22         94.827    6.11                             
23       -181.912    1.50   1.77250    49.6           
24         88.343  (可変)                             
25       1034.760    6.25   1.62041    60.3           
26       -139.471    0.15                             
27        134.131   11.11   1.48749    70.2           
28        -81.275    0.09                             
29        -86.919    1.60   1.80518    25.4           
30       -215.948  (可変)                             
31         88.441    1.60   1.80518    25.4           
32         57.856    9.30   1.48749    70.2           
33        416.792    0.15                             
34*        90.932    7.65   1.62041    60.3           
35       -557.289  (可変)                             
36(絞り)    ∞       2.98                             
37       -132.172    1.40   1.78800    47.4           
38         19.003    7.31   1.85478    24.8           
39       -627.106    1.40   1.78800    47.4           
40         70.223    5.93                             
41        -32.307   19.74   1.77250    49.6           
42        169.224    8.40                             
43       -113.074    1.50   1.53775    74.7           
44       1847.904    7.45   1.64000    60.1           
45        -37.062    3.00                             
46       -123.577    1.50   2.00100    29.1           
47         75.963    7.53   1.51633    64.1           
48        -61.591    0.66                             
49         97.684    7.00   1.64000    66.1           
50        -85.995    0.20                             
51         44.349    8.76   1.43875    94.9           
52        -88.976    1.00                             
53        -99.527    1.50   2.00069    25.5           
54         91.587    5.00   1.85896    22.7           
55       -145.692    8.00                             
56          ∞      33.00   1.60859    46.4           
57          ∞      13.20   1.51633    64.2           
58          ∞      10.00                             
像面        ∞   
非球面データ
第18面
K = 0.00000e+000  A 4= 2.65507e-007  A 6=-1.21934e-011  A 8=-1.74017e-015  A10=-3.97066e-017  A12= 8.17590e-021  
第34面
K = 0.00000e+000  A 4=-4.99441e-008  A 6=-4.51336e-010  A 8= 9.51567e-013  A10=-9.17379e-016  A12= 3.23522e-019  
各種データ
ズーム比     30.00 
広角     中間     望遠
焦点距離       6.47    34.86   194.20  
Fナンバー      1.52     1.52     2.19  
半画角（度）  40.35     8.97     1.62  
像高           5.50     5.50     5.50  
レンズ全長   625.00   625.00   625.00  
BF            10.00    10.00    10.00  
d17            3.00    93.37   214.58  
d24          216.24    59.28     6.33  
d30            2.67    40.45     1.00  
d35            1.00    29.81     1.00  
ズームレンズ群データ
群  始面    焦点距離  
1    1     178.92  
2   18     -39.67  
3   25     110.08  
4   31      98.28  
5   36      31.00  
【００９４】
（数値実施例９）
単位 mm
面データ
面番号i      ri       di     ndi        vdi           
1         53.929    1.35   1.84666    23.9           
2         27.821    6.05   1.60311    60.6           
3       -361.752    0.20                             
4         24.138    3.19   1.69680    55.5           
5         67.371  (可変)                             
6        126.531    0.80   1.83481    42.7           
7          7.059    3.00                             
8       -900.568    0.70   1.83481    42.7           
9         18.242    1.57                             
10        -20.961    0.60   1.83481    42.7           
11        367.479    0.14                             
12         22.388    1.83   1.92286    18.9           
13        -54.238  (可変)                             
14(絞り)    ∞                                        
15*         9.783    2.55   1.58313    59.4           
16       -133.067    3.64                             
17         52.501    0.72   1.80518    25.4           
18          9.744    1.53                             
19*        15.015    2.05   1.58313    59.4           
20        -42.749  (可変)                             
21         15.391    4.00   1.61000    66.6           
22        -23.736    0.70   1.84666    23.9           
23        -75.701  (可変)                             
24          ∞       2.95   1.51633    64.1           
25          ∞       0.51                             
像面        ∞   
非球面データ
第15面
K =-1.24240e+000  A 4= 6.61444e-005  A 6=-2.82208e-008  A 8= 1.79705e-009  
第19面
K =-4.16889e-001  A 4=-5.53737e-005  
各種データ
ズーム比      9.79 
広角     中間     望遠
焦点距離       4.44    13.14    43.46  
Fナンバー      1.90     2.42     2.88  
半画角        34.32    12.98     3.99  
像高           3.03     3.03     3.03  
レンズ全長    78.24    78.24    78.24  
BF             0.51     0.51     0.51  
d 5            0.93    12.21    21.44  
d13           22.42    11.14     1.91  
d14            6.22     1.93     2.66  
d20            4.81     5.75     5.58  
d23            5.78     9.14     8.57  
ズームレンズ群データ
群  始面    焦点距離  
1    1      36.84  
2    6      -7.16  
3   15      19.22  
4   21      24.63  
【００９５】
（数値実施例１０）
単位 mm
面データ
面番号i      ri       di     ndi        vdi           
1         53.929    1.35   1.84666    23.9           
2         27.821    6.05   1.60311    60.6           
3       -361.752    0.20                             
4         24.138    3.19   1.69680    55.5           
5         67.371  (可変)                             
6        126.531    0.80   1.83481    42.7           
7          7.059    3.00                             
8       -900.568    0.70   1.83481    42.7           
9         18.242    1.57                             
10        -20.961    0.60   1.83481    42.7           
11        367.479    0.14                             
12         22.388    1.83   1.92286    18.9           
13        -54.238  (可変)                             
14(絞り)    ∞                                        
15*         9.783    2.95   1.58313    59.4           
16       -120.096    3.82                             
17         61.676    0.70   1.80518    25.4           
18          9.580    0.46                             
19*        15.015    2.21   1.58313    59.4           
20        -47.561  (可変)                             
21         13.746    2.96   1.59410    60.5           
22        -24.639    0.70   1.84666    23.9           
23        -65.215  (可変)                             
24          ∞       2.95   1.51633    64.1           
25          ∞       1.24                             
像面        ∞   
非球面データ
第15面
K =-1.24240e+000  A 4= 6.61444e-005  A 6=-2.82208e-008  A 8= 1.79705e-009  
第19面
K =-4.16889e-001  A 4=-5.53737e-005  
各種データ
ズーム比     11.73 
広角     中間     望遠
焦点距離       4.53    14.00    53.11  
Fナンバー      1.92     2.42     2.88  
半画角（度）  33.78    12.21     3.26  
像高           3.03     3.03     3.03  
レンズ全長    77.59    78.14    78.59  
BF             1.24     1.24     1.24  
d 5            0.93    12.76    22.44  
d13           22.42    11.14     1.91  
d14            6.22     1.93     2.66  
d20            4.81     5.56     7.44  
d23            5.78     9.33     6.71  
ズームレンズ群データ
群  始面    焦点距離  
1    1      36.84  
2    6      -7.16  
3   15      19.69  
4   21      21.95  
【００９６】
（数値実施例１１）
単位 mm
面データ
面番号i      ri       di     ndi        vdi
1         62.355    1.30   1.85478    24.8           
2         37.710    4.94   1.49700    81.5           
3        192.442    0.15                             
4         46.812    3.43   1.59522    67.7           
5        225.681    0.10                             
6         31.010    3.51   1.59522    67.7           
7         76.000  (可変)                             
8         87.603    0.60   1.95375    32.3           
9          7.309    2.93                             
10         53.525    0.50   1.85150    40.8           
11         13.375    2.14                             
12        -20.387    0.50   1.77250    49.6           
13         53.565    0.10                             
14         20.354    2.06   1.95906    17.5           
15        -57.827  (可変)                             
16(絞り)    ∞                                        
17*        13.276    4.15   1.76450    49.1           
18         27.241    0.50                             
19         13.657    0.98   2.00100    29.1           
20          7.056    2.00   1.43700    95.1           
21          8.679    0.79                             
22*         7.681    6.00   1.49700    81.5           
23*       -12.855  (可変)                             
24        207.423    2.00   1.95375    32.3           
25          6.527  (可変)                             
26         12.622    3.00   1.65000    55.0           
27        -15.882    2.28                             
28          ∞       2.00   1.51633    64.1           
29          ∞                                 
像面        ∞       0.51  
非球面データ
第17面
K =-1.10884e+000  A 2= 1.05658e-002  A 4= 1.01064e-004  A 6= 1.22831e-007  A 8= 1.22160e-009  A10=-1.19281e-011  
第22面
K = 4.04079e-001  A 4=-5.15700e-004  A 6=-7.28653e-006  A 8= 5.30036e-010  A10=-5.65112e-009  
第23面
K =-7.86419e-001  A 4= 2.38274e-005  A 6=-3.52404e-006  A 8= 9.78293e-010  A10=-1.11232e-009  
各種データ
ズーム比     41.54 
広角     中間     望遠
焦点距離       4.09    46.91   169.88  
Fナンバー      2.01     3.00     4.90  
半画角        38.04     3.90     1.08  
像高           3.20     3.20     3.20  
レンズ全長    90.46    90.46    90.46  
BF             0.51     0.51     0.51  
d 7            0.60    25.19    30.59  
d15           30.79     6.20     0.80  
d16            6.39     1.18     0.60  
d23            4.22     9.30     2.12  
d25            1.98     2.11     9.87  
ズームレンズ群データ
群  始面    焦点距離  
1    1      43.58  
2    8      -6.39  
3   17      13.30  
4   24      -7.10  
5   26      11.29  
【００９７】
（数値実施例１２）
単位 mm
面データ
面番号i      ri       di     ndi        vdi
1         62.355    1.30   1.85478    24.8           
2         37.710    4.94   1.49700    81.5           
3        192.442    0.15                             
4         46.812    3.43   1.59522    67.7           
5        225.681    0.10                             
6         31.010    3.51   1.59522    67.7           
7         76.000  (可変)                             
8         87.603    0.60   1.95375    32.3           
9          7.309  (可変)                             
10         53.525    0.50   1.85150    40.8           
11         13.375    2.14                             
12        -20.387    0.50   1.77250    49.6           
13         53.565    0.10                             
14         20.354    2.06   1.95906    17.5           
15        -57.827  (可変)                             
16(絞り)    ∞                                        
17*        13.276    4.15   1.76450    49.1           
18         27.241    0.50                             
19         13.657    0.98   2.00100    29.1           
20          7.056    2.00   1.43700    95.1           
21          8.679    0.79                             
22*         7.681    6.00   1.49700    81.5           
23*       -12.855  (可変)                             
24        207.423    2.00   1.95375    32.3           
25          6.527  (可変)                             
26         12.622    3.00   1.65000    55.0           
27        -15.882  (可変)                             
28          ∞       2.00   1.51633    64.1           
29          ∞       0.51                             
像面        ∞   
非球面データ
第17面
K =-1.10884e+000  A 2= 1.05658e-002  A 4= 1.01064e-004  A 6= 1.22831e-007  A 8= 1.22160e-009  A10=-1.19281e-011  
第22面
K = 4.04079e-001  A 4=-5.15700e-004  A 6=-7.28653e-006  A 8= 5.30036e-010  A10=-5.65112e-009  
第23面
K =-7.86419e-001  A 4= 2.38274e-005  A 6=-3.52404e-006  A 8= 9.78293e-010  A10=-1.11232e-009  
各種データ
ズーム比     42.92 
広角     中間     望遠
焦点距離       4.09    46.87   175.51  
Fナンバー      2.01     3.00     4.95  
半画角        38.04     3.91     1.04  
像高           3.20     3.20     3.20  
レンズ全長    90.46    90.46    90.46  
BF             0.51     0.51     0.51  
d 7            0.60    25.19    30.59  
d 9            2.93     3.75     3.93  
d15           30.79     5.38    -0.20  
d16            6.39     1.18     0.60  
d23            4.22     9.62     2.11  
d25            1.98     1.79     9.89  
d27            2.28     2.28     2.28  
ズームレンズ群データ
群  始面    焦点距離  
1    1      43.58  
2    8      -8.39  
3   10     -31.09  
4   17      13.30  
5   24      -7.10  
6   26      11.29  
【００９８】
【表１】
2020012908.tif 000004
【符号の説明】
【００９９】
Ｌ１  第１レンズ群
Ｌ２  第２レンズ群
Ｌ３  第３レンズ群
Ｌ４  第４レンズ群
Ｌ５  第５レンズ群
Ｌ６  第６レンズ群
【図１】
2020012908.tif 000005
【図２】
2020012908.tif 000006
【図３】
2020012908.tif 000007
【図４】
2020012908.tif 000008
【図５】
2020012908.tif 000009
【図６】
2020012908.tif 000010
【図７】
2020012908.tif 000011
【図８】
2020012908.tif 000012
【図９】
2020012908.tif 000013
【図１０】
2020012908.tif 000014
【図１１】
2020012908.tif 000015
【図１２】
2020012908.tif 000016
【図１３】
2020012908.tif 000017
【図１４】
2020012908.tif 000018
【図１５】
2020012908.tif 000019
【図１６】
2020012908.tif 000020
【図１７】
2020012908.tif 000021
【図１８】
2020012908.tif 000022
【図１９】
2020012908.tif 000023
【図２０】
2020012908.tif 000024
【図２１】
2020012908.tif 000025
【図２２】
2020012908.tif 000026
【図２３】
2020012908.tif 000027
【図２４】
2020012908.tif 000028
【図２５】
2020012908.tif 000029
【図２６】
2020012908.tif 000030